(57)【特許請求の範囲】
【請求項１】
クロスフローファンからの気流を、下流風洞を介して吹き出す吹出口と、
前記吹出口に配置され、運転時に前記吹出口から吹き出す風向きを上下方向に変える上下風向板とを備え、
前記上下風向板は、長手方向の中央に配置される中央風向板と、前記中央風向板に並んで前記吹出口の一端側に配置される一端側風向板と、前記中央風向板に並んで前記吹出口の他端側に配置される他端側風向板とを備え、
前記長手方向の前記上下風向板の全長Ｌ２に対して、前記長手方向の前記中央風向板の長さＬ１が３分の１未満（Ｌ１＜Ｌ２／３）であり、
前記長手方向の前記吹出口の全長Ｌ３に対して、前記長手方向の前記中央風向板の長さＬ１が３分の１未満（Ｌ１＜Ｌ３／３）であり、
前記長手方向の前記クロスフローファンの全長Ｌ４に対して、前記長手方向の前記中央風向板の長さＬ１が３分の１未満（Ｌ１＜Ｌ４／３）であって、
前記中央風向板の駆動源は、前記下流風洞の後方に配置されていることを特徴とする空気調和機。
【請求項２】
請求項１に記載の空気調和機において、
前記中央風向板を回動させる駆動軸が、前記長手方向の前記中央風向板の端縁よりも内側に配置されていることを特徴とする空気調和機。
【発明の詳細な説明】
【技術分野】
【０００１】
本発明は、空気調和機に関する。
【背景技術】
【０００２】
従来、空気調和機の室内機としては、空気吹出口に上下２段の風向板を左右に設けたものが知られている（例えば、特許文献１参照）。
この室内機は、上下２段の風向板の傾きによる吹出空気の絞り程度を左右で変えることによって、空気吹出口の左右での風速を個別に調節することができるようになっている。この室内機によれば、室内機の前方左右にいるユーザのそれぞれに対してユーザのそれぞれの要求に応じて異なる送風を行うことができる。
【先行技術文献】
【特許文献】
【０００３】
【特許文献１】特許第５４７３８２６号公報
【発明の概要】
【発明が解決しようとする課題】
【０００４】
しかし、従来の室内機では、空気の上下風向板の上流側における風量分布について考慮されていないため、室内機の前方の広範囲にわたってユーザの要求に応じた送風を的確に行うことができない問題があった。
【０００５】
そこで、本発明の課題は、前方の広範囲にわたってユーザの要求に応じた送風を的確に行うことができる室内機を有する空気調和機を提供することにある。
【課題を解決するための手段】
【０００６】
前記課題を解決した本発明の空気調和機は、クロスフローファンからの気流を、下流風洞を介して吹き出す吹出口と、前記吹出口に配置され、運転時に前記吹出口から吹き出す風向きを上下方向に変える上下風向板とを備え、前記上下風向板は、長手方向の中央に配置される中央風向板と、前記中央風向板に並んで前記吹出口の一端側に配置される一端側風向板と、前記中央風向板に並んで前記吹出口の他端側に配置される他端側風向板とを備え、前記長手方向の前記上下風向板の全長Ｌ２に対して、前記長手方向の前記中央風向板の長さＬ１が３分の１未満（Ｌ１＜Ｌ２／３）であり、前記長手方向の前記吹出口の全長Ｌ３に対して、前記長手方向の前記中央風向板の長さＬ１が３分の１未満（Ｌ１＜Ｌ３／３）であり、前記長手方向の前記クロスフローファンの全長Ｌ４に対して、前記長手方向の前記中央風向板の長さＬ１が３分の１未満（Ｌ１＜Ｌ４／３）であって、前記中央風向板の駆動源は、前記下流風洞の後方に配置されていることを特徴とする。
【発明の効果】
【０００９】
本発明によれば、前方の広範囲にわたってユーザの要求に応じた送風を的確に行うことができる室内機を有する空気調和機を提供することができる。
【図面の簡単な説明】
【００１０】
【図１】本発明の実施形態に係る空気調和機の構成説明図である。
【図２】室内機の斜視図である。
【図３】図２のIII−III断面を概略的に示す室内機の側断面図である。
【図４】（ａ）は、上下風向板を構成する中央風向板の長さを、上下風向板の長さ、クロスフローファンの長さ、及び空気吹出口の長さと対応付けした対比図である。（ｂ）は、上下風向板の上流側での風量分布を示すグラフである。
【図５】図４（ａ）における上下風向板付近の部分拡大図である。
【図６】上下風向板を構成する中央風向板の駆動源の配置例を示す室内機の側断面図である。
【発明を実施するための形態】
【００１１】
次に、本発明を実施するための形態（実施形態）について図面を適宜参照しながら説明する。
本実施形態の空気調和機は、室内機における空気吹出口の長手方向に沿って並ぶ３つの上下風向板が後記の所定長さに設定されていることを主な特徴とする。
以下では、まず空気調和機の全体構成について説明した後に室内機及び上下風向板について説明する。なお、以下の説明における室内機の前後上下左右の方向は、図２の矢印に示す方向を基準とする。
【００１２】
＜空気調和機＞
図１は、本実施形態に係る空気調和機１の構成説明図である。
図１に示すように、空気調和機１は、室内機１ａと室外機１ｂとを備えており、室内機１ａと室外機１ｂとは配管２ａ，２ｂを介して接続されている。室内機１ａは、室内熱交換器３と、クロスフローファン４とを備えている。室外機１ｂは、圧縮機５と、四方弁６と、膨張弁７と、室外熱交換器８と、プロペラファン９とを備えている。
【００１３】
この空気調和機１は、四方弁６を切り替えることで室内熱交換器３を蒸発器、室外熱交換器８を凝縮器として使用する冷房運転と、室内熱交換器３を凝縮器、室外熱交換器８を蒸発器として使用する暖房運転とを行うヒートポンプ式のものである。なお、図１に示す四方弁６の切り替え状態は、冷房運転時のものである。また、図１中、実線矢印Ｘは冷房運転時における冷媒の循環方向を示し、破線矢印Ｙは暖房運転時における冷媒の循環方向を示している。
【００１４】
例えば、冷房運転時の空気調和機１においては、圧縮機５で圧縮された高温高圧の冷媒は、四方弁６を通過して室外熱交換器８に流入し、空気との熱交換により放熱して凝縮する。その後、冷媒は、膨張弁７によりなどエンタルピ膨張し、低温低圧でガス冷媒と液冷媒とが混在した気液二相流となって室内熱交換器３へ流入する。そして、室内熱交換器３での液冷媒は、空気からの吸熱作用によりガス冷媒に気化する。つまり、液冷媒が気化する際に室内熱交換器３が周囲の空気を冷却することで空気調和機１は、冷房機能を発揮する。次いで、室内熱交換器３を出た冷媒は、圧縮機５へ戻って高温高圧に圧縮されるとともに、再び四方弁６、室外熱交換器８、及び室内熱交換器３を循環する。
【００１５】
＜室内機＞
次に、室内機１ａについて説明する。
図２は、室内機１ａの斜視図、図３は、図２のIII−III断面を概略的に示す室内機１ａの側断面図である。なお、以下の室内機１ａの説明における前後左右上下の方向は、図２の矢印に示す前後左右上下の方向を基準とする。
図２に示すように、室内機１ａは、前記の室内熱交換器３（図１参照）とクロスフローファン４（図１参照）とを内側に収納する筐体１１を有している。
【００１６】
筐体１１は、その外形が略直方体を呈しており、上下左右の面を形成する化粧枠１１ａと、化粧枠１１ａの前側に配置されるフロントパネル１１ｂとを備えている。また、本実施形態での筐体１１は、化粧枠１１ａの後側に配置されるリヤパネル（図示省略）をさらに備えている。
【００１７】
化粧枠１１ａの上面には、空気吸込口（図示省略）が形成されている。室内の空気は、クロスフローファン４（図１参照）が駆動した際にこの空気吸込口を介して筐体１１の内側に吸い込まれる。
【００１８】
フロントパネル１１ｂの下方には、空気吹出口１２が形成されている。この空気吹出口１２は、特許請求の範囲にいう「吹出口」に相当する。
空気吹出口１２は、筐体１１の左右の幅方向に細長い略矩形に開口するように形成されている。また、この空気吹出口１２は、後記するクロスフローファン４（図３参照）の長手方向（図３の紙面に対して垂直方向）に対応するように長い開口で形成されている。
【００１９】
空気吹出口１２には、上下風向板１０と左右風向板（図示省略）とが配置されている。
左右風向板は、空気吹出口１２の左右の幅方向に沿って複数配置され、空気吹出口１２から吹き出される空気の左右の方向を制御するようになっている。
上下風向板１０については後に詳しく説明する。
【００２０】
また、フロントパネル１１ｂには、空気調和機１（図１参照）の運転状況を表示する表示部１４ａ、別体のリモコン（図示省略）からの赤外線の操作信号を受ける受光部１４ｂ、室内の状況を撮像するカメラ（図示省略）などが設けられている。
なお、図２中、符号２０は、上下風向板１０を構成する上側上下風向板であり、符号３０は、上下風向板を構成する下側上下風向板である。また、符号２１，２２，２３は、上側上下風向板２０を構成する後記の上側左風向板、上側中央風向板、及び上側右風向板をそれぞれ示し、符号３１，３２，３３は、下側上下風向板３０を構成する後記の下側左風向板、下側中央風向板、及び下側右風向板をそれぞれ示している。
【００２１】
図３に示すように、室内機１ａは、筐体１１内に前記の室内熱交換器３と、クロスフローファン４とを備えている。符号１５は、フィルタであり、駆動するクロスフローファン４によって筐体１１内に吸込まれた空気は、フィルタ１５によって塵埃が除去された後に室内熱交換器３を通過する。
室内熱交換器３は、クロスフローファン４の上方で屈曲してクロスフローファン４を上方から覆うように配置されている。
【００２２】
室内熱交換器３の下側には、室内熱交換器３で結露した水を受けるドレンパン１６が配置されている。このドレンパン１６とリアパネル１１ｃとによって、クロスフローファン４の下流側での下流側風洞１７が構成されている。
なお、下流側風洞１７の上側には上側ケーシング１８ａが配置され、下側には下側ケーシング１８ｂが配置されている。上側ケーシング１８ａは空気吹出口１２の上部を構成しており、下側ケーシング１８ｂは空気吹出口１２の下部を構成している。つまり、下流側風洞１７のクロスフローファン４とは反対側に空気吹出口１２が形成される。
【００２３】
クロスフローファン４は、軸方向（図３の紙面垂直方向）に長い略円筒形状のファンであって、空気吹出口１２を下方で区画する前記の上側ケーシング１８ａと下側ケーシング１８ｂとで挟まれるように配置されている。
【００２４】
クロスフローファン４は、複数の略円筒形状のファンブロック（図示省略）が同心となるように仕切板（図示省略）を介して繋げられ、両端部に配置される円形プレート（図示省略）にて一体に支持されたものである。ちなみに、各ファンブロックは、細長い複数の翼が略円筒形状を形成するように周方向に並列配置されて構成されている。
【００２５】
なお、特許請求の範囲にいう「クロスフローファンの全長Ｌ４」は、後記するように、仕切板（図示省略）を介して繋げられた複数のファンブロック４ａ（図４（ａ）参照）と、両端部の円形プレート４ｂ（図４（ａ）参照）を含む長さＬ４（図４（ａ）参照）である。
【００２６】
＜上下風向板＞
上下風向板１０は、図３に示すように、下流側風洞１７の上側に配置された上側上下風向板２０と、下流側風洞１７の下側に配置された下側上下風向板３０と、を備えている。
上側上下風向板２０は、軸１９ａ周りに回動し、下側上下風向板３０は、軸１９ｂ周りに回動する。なお、軸１９ａ，１９ｂは、空気吹出口１２の長手方向（図３の紙面垂直方向）に沿って配置されている。
【００２７】
これらの上側上下風向板２０及び下側上下風向板３０の回動は、軸１９ａ，１９ｂのそれぞれに設けられたパルスモータなどのアクチュエータ（図示省略）を駆動制御することによって行われる。この際、上側上下風向板２０及び下側上下風向板３０の回動角度が所定の角度となるように、又は回動角度が連続的に変化するように（揺動するように）駆動制御される。ちなみに、運転停止時の下側上下風向板３０は、空気吹出口１２を閉じている。
【００２８】
上側上下風向板２０及び下側上下風向板３０の構成についてさらに詳しく説明する。
以下では、上側上下風向板２０を単に「上側風向板２０」と称し、下側上下風向板３０を単に「下側風向板３０」と称する。
【００２９】
再び図２に戻って、上側風向板２０と下側風向板３０のそれぞれは、空気吹出口１２の長手方向に沿って３つ並ぶように配置されている。
具体的には、上側風向板２０は、空気吹出口１２の長手方向の中央に配置される上側中央風向板２２と、上側中央風向板２２に並んで空気吹出口１２の左端側に配置される上側左風向板２１と、上側中央風向板２２に並んで空気吹出口１２の右端側に配置される上側右風向板２３と、を備えている。
【００３０】
また、下側風向板３０は、空気吹出口１２の長手方向の中央に配置される下側中央風向板３２と、下側中央風向板３２に並んで空気吹出口１２の左端側に配置される下側左風向板３１と、下側中央風向板３２に並んで空気吹出口１２の右端側に配置される下側右風向板３３と、を備えている。
【００３１】
なお、上側風向板２０及び下側風向板３０は、特許請求の範囲にいう「上下風向板」に相当し、上側中央風向板２２及び下側中央風向板３２は、特許請求の範囲にいう「中央風向板」に相当し、上側左風向板２１及び下側左風向板３１は、特許請求の範囲にいう「一端側風向板」に相当し、上側右風向板２３及び下側右風向板３３は、特許請求の範囲にいう「他端側風向板」に相当する。
【００３２】
図４（ａ）は、上側中央風向板２２及び下側中央風向板３２のそれぞれの長さＬ１を、上側風向板２０及び下側風向板３０の長さＬ２、クロスフローファン４の長さＬ４、及び空気吹出口１２の長さＬ３と対応付けした対比図である。図４（ｂ）は、上側風向板２０及び下側風向板３０の上流側での空気吹出口１２の長手方向における風量分布を示すグラフである。
【００３３】
図４（ａ）に示すように、本実施形態での上側中央風向板２２、上側左風向板２１、及び上側右風向板２３、並びに下側中央風向板３２、下側左風向板３１、及び下側右風向板３３のそれぞれは、平面視で略矩形を呈している。
【００３４】
図４（ａ）中、符号Ｌ１は、上側中央風向板２２及び下側中央風向板３２のそれぞれの長さであり、符号Ｌ２は、上側風向板２０及び下側風向板３０のそれぞれの長さであり、符号Ｌ３は、空気吹出口１２の長さであり、符号Ｌ４は、クロスフローファン４の長さである。
また、図４（ａ）中、符号Ｌ５は、上側左風向板２１及び下側左風向板３１の長さであり、符号Ｌ６は、上側右風向板２３及び下側右風向板３３の長さである。
また、図４（ａ）中、符号４０は、各風向板２１〜２３，３１〜３３を駆動するパルスモータなどを含むアクチュエータであり、符号４１は、各風向板２１〜２３，３１〜３３の軸受である。
【００３５】
符号Ｌ１，Ｌ５，Ｌ６で示される各風向板２１〜２３，３１〜３３のそれぞれの長さは、各風向板２１〜２３，３１〜３３の下流側の端縁の長さで規定されている。また、符号Ｌ２で示される上側風向板２０及び下側風向板３０のそれぞれの長さ（全長）は、最も下流側における左風向板２１，３２から右風向板２３，３３までの長さで規定されている。また、符号Ｌ３で示される空気吹出口１２の長さ（全長）は、最も下流側における開口の長手方向の距離で規定されている。また、符号Ｌ４で示されるクロスフローファン４の長さ（全長）は、前記のように、仕切板（図示省略）を介して繋げられた複数のファンブロック４ａと、両端部の円形プレート４ｂを含む長さで規定されている。
【００３６】
本実施形態での上側中央風向板２２及び下側中央風向板３２のそれぞれの長さＬ１に設定される第１条件としては、長さＬ１が、上側風向板２０及び下側風向板３０のそれぞれの長さ（全長）Ｌ２の３分の１未満（Ｌ１＜Ｌ２／３）となっていることである。
また、長さＬ１に設定される第２条件としては、長さＬ１が、空気吹出口１２の長さ（全長）Ｌ３の３分の１未満（Ｌ１＜Ｌ３／３）となっていることである。
また、長さＬ１に設定される第３条件としては、長さＬ１が、クロスフローファン４の長さ（全長）Ｌ４の３分の１未満（Ｌ１＜Ｌ４／３）となっていることである。
【００３７】
本実施形態では、上側中央風向板２２及び下側中央風向板３２の両方が、前記の第１条件、第２条件、及び第３条件の全てを満足する空気調和機１を想定している。しかしながら、上側中央風向板２２及び下側中央風向板３２のうちのいずれか一方が、前記の第１条件、第２条件、及び第３条件の全てを満足する空気調和機１についても後記する本発明の作用効果を奏することができる点で本発明として許容している。
【００３８】
また、本発明は、上側中央風向板２２及び下側中央風向板３２のうちの少なくとも一方が、前記の第１条件から第３条件のうちの少なくともいずれか一つを満足する空気調和機１についても後記する本発明の作用効果を奏することができる点で本発明として許容している。
【００３９】
また、本実施形態での上側左風向板２１及び下側左風向板３１の長さＬ５、並びに上側右風向板２３及び下側右風向板３３の長さＬ６のそれぞれは、前記の第１条件から第３条件のいずれかを満足することを前提に適宜に設定することができる。しかしながら、長さＬ５，Ｌ６のそれぞれは、前記の第１条件を満足することを前提に、上側風向板２０及び下側風向板３０のそれぞれの長さ（全長）Ｌ２の３分の１を超えるように（Ｌ５，Ｌ６＞Ｌ２／３となるように）設定されることが望ましい。
【００４０】
また、長さＬ５，Ｌ６のそれぞれは、前記の第２条件を満足することを前提に、空気吹出口１２の長さ（全長）Ｌ３の３分の１を超えるように（Ｌ５，Ｌ６＞Ｌ３／３となるように）設定されることが望ましい。
【００４１】
また、長さＬ５，Ｌ６のそれぞれは、前記の第３条件を満足することを前提に、クロスフローファン４の長さ（全長）Ｌ４の３分の１を超えるように（Ｌ５，Ｌ６＞Ｌ４／３となるように）設定されることが望ましい。
【００４２】
また、本実施形態での長さＬ５，Ｌ６が互いに等しくなるように設定されることを想定しているが、上側中央風向板２２及び下側中央風向板３２が空気吹出口１２の中央に配置されることを前提に、長さＬ５，Ｌ６が互いに相違するように設定することもできる。この場合、長さＬ５，Ｌ６は、Ｌ１＜（Ｌ５＋Ｌ６）／２の関係式を満足する範囲で設定することができる。
【００４３】
また、本実施形態では、上側中央風向板２２及び下側中央風向板３２のそれぞれの長さＬ１は、同じ長さとなることを想定しているが、前記の第１条件から第３条件のいずれかを満足することを前提に、上側中央風向板２２及び下側中央風向板３２のそれぞれの長さを相違させることもできる。また、上側左風向板２１及び下側左風向板３１のそれぞれの長さＬ５同士、並びに上側右風向板２３及び下側右風向板３３のそれぞれの長さＬ６同士についても、本実施形態では、同じ長さとなることを想定しているが、前記の第１条件から第３条件のいずれかを満足することを前提に、長さＬ５同士を相違させることもできるし、長さＬ６同士を相違させることもできる。
【００４４】
次に、本実施形態の空気調和機１における室内機１ａの奏する作用効果について説明する。
図４（ｂ）に示すように、上側風向板２０及び下側風向板３０の上流側の風量分布は、空気吹出口１２の長手方向の中央部に対応する位置での吹出方向への空気の風量が最も大きく、長手方向の両端に向かうほど風量が小さくなる。
【００４５】
従来の空気調和機の室内機では、前記のように上下風向板の上流側における風量分布について考慮されていないため、上下風向板を介して室内に吹き出される風量は、空気吹出口１２の両端に向かうほど風量が小さくなる。これにより従来の空気調和機の室内機は、室内機の前方の広範囲にわたってユーザの要求に応じた送風を的確に行うことができない問題がある。
【００４６】
これに対して、本実施形態では、上側中央風向板２２及び下側中央風向板３２のそれぞれの長さＬ１が、上側風向板２０及び下側風向板３０のそれぞれの長さ（全長）Ｌ２の３分の１未満（Ｌ１＜Ｌ２／３）となる第１条件、空気吹出口１２の長さ（全長）Ｌ３の３分の１未満（Ｌ１＜Ｌ３／３）となる第２条件、及びクロスフローファン４の長さ（全長）Ｌ４の３分の１未満（Ｌ１＜Ｌ４／３）となる第３条件のうちの少なくとも一つを満足するようになっている。これにより本実施形態での空気吹出口１２においては、上側中央風向板２２及び下側中央風向板３２による通風抵抗が、上側左風向板２１及び下側左風向板３１、並びに上側右風向板２３及び下側右風向板３３による通風抵抗よりも大きくなる。よって、空気吹出口１２の長手方向の中央を流れようとする空気は、空気吹出口１２の長手方向の両端側に向かって流れるように分散される。つまり、本実施形態での室内機１ａによれば、図４（ｂ）に示す空気吹出口１２の長手方向の中央ほど風量が多くなる偏った風量分布が解消されて、空気吹出口１２の長手方向の風量を均一化することができる。この室内機１ａによれば、前方の広範囲にわたってユーザの要求に応じた送風を的確に行うことができる。
【００４７】
また、本実施形態の空気調和機１の運転例を挙げると、例えば暖房運転時には、上側中央風向板２２及び下側中央風向板３２よりも幅広の上側左風向板２１及び下側左風向板３１、並びに上側右風向板２３及び下側右風向板３３によって室内全体が暖まるように広範囲に送風が行われる。上側左風向板２１及び下側左風向板３１、並びに上側右風向板２３及び下側右風向板３３は、例えば、室内の下方、又は室内の左右壁面に向けて送風する。幅狭の上側中央風向板２２及び下側中央風向板３２は、ユーザに向けてスポット的に送風する。この場合、前記の左右風向板（図示省略）による風向調整を併せて行うこともできる。
【００４８】
また、冷房運転時には、暖気が天井に溜りやすいので、幅広の上側左風向板２１及び下側左風向板３１、並びに上側右風向板２３及び下側右風向板３３は、室内の上方に向けて送風する。これにより本実施形態の空気調和機１は、室内全体の空気調和を迅速に行うことができるとともに、ユーザへのスポット的な送風をも行うことができる。
【００４９】
また、本実施形態の空気調和機１によれば、室内に存在する人の密度に応じて、人の密度が高い場所には幅広の上側左風向板２１及び下側左風向板３１、並びに上側右風向板２３及び下側右風向板３３によって送風し、人の密度が少ない場所には幅狭の上側中央風向板２２及び下側中央風向板３２によって送風することができる。これによって集合人数の密度の違いによる快適感のばらつきを解消することができる。
【００５０】
以上、本実施形態について説明したが、本発明は前記実施形態に限定されず、種々の形態で実施することができる。
本発明は、図４（ａ）に示したように上側中央風向板２２及び下側中央風向板３２を前記の所定長さに設定することに加えて、上側中央風向板２２及び下側中央風向板３２を回動させるアクチュエータ４０をこれらの風向板２２，３２の長手方向の端縁よりも内側に配置した構成を採用することができる。
【００５１】
図５は、図４（ａ）における上側風向板２０及び下側風向板３０付近の部分拡大図である。
図５に示すように、上側中央風向板２２及び下側中央風向板３２のアクチュエータ４０を構成するそれぞれの駆動軸４３，４３は、上側中央風向板２２及び下側中央風向板３２の長手方向の端縁４５よりも内側に配置されている。
なお、図５中、符号２１は上側左風向板、符号２３は上側右風向板、符号３１は下側左風向板、符号３３は下側右風向板である。
【００５２】
このような上側風向板２０及び下側風向板３０は、駆動軸４３の支持部材４４が上側中央風向板２２及び下側中央風向板３２の長手方向の端縁４５よりも内側に配置されることによって、空気吹出口１２の中央での通風抵抗がさらに大きくなる。
これにより空気吹出口１２の長手方向における風量の均一化は、より効率的に行われることとなる。
【００５３】
また、前記実施形態での室内機１ａ（図２参照）では、図４（ａ）に示すように、上側中央風向板２２及び下側中央風向板３２のアクチュエータ４０は、各風向板２１〜２３，３１〜３３の端縁近傍に配置した構成を想定している。しかしながら、上側中央風向板２２及び下側中央風向板３２の駆動源としての本実施形態でのパルスモータは、上側中央風向板２２及び下側中央風向板３２から離して配置することもできる。
【００５４】
すなわち、上側中央風向板２２及び下側中央風向板３２は、他の上側左風向板２１及び下側左風向板３１、並びに上側右風向板２３及び下側右風向板３３と比べて幅狭になるため軽量となる。したがって、例えば駆動源（パルスモータ）の駆動力を上側中央風向板２２及び下側中央風向板３２に伝達するギア数及びギア比は、上側左風向板２１及び下側左風向板３１、並びに上側右風向板２３及び下側右風向板３３に適用されるギア数及びギア比の範囲よりも広い範囲で設定可能となる。
【００５５】
図６は、下側中央風向板３２の駆動源５０の配置例を示す室内機１ａの側断面図である。図６中、符号３は、室内熱交換器、符号４は、クロスフローファン、符号１２は、空気吹出口である。
図６に示すように、この変形例に係る室内機１ａでは、パルスモータなどの駆動源５０が下流側風洞１７を区画する下側ケーシング１８ｂと、筐体１１のリアパネル１１ｃとの間に配置され、複数のギア５１が噛み合わされて下側中央風向板３２の駆動軸４３と駆動源５０とを連結している。
また、図示しないが、上側中央風向板２２の駆動源５０及びギア５１についても下側中央風向板３２と同様に配置することができる。
【００５６】
このような室内機１ａによれば、ギア５１のギア数及びギア比の選択の幅が広がって、上側中央風向板２２及び下側中央風向板３２の駆動源５０の配置位置についての設計自由度が高められる。
【符号の説明】
【００５７】
１      空気調和機
１ａ    室内機
１ｂ    室外機
２ａ    配管
３      室内熱交換器
４      クロスフローファン
４ａ    ファンブロック
４ｂ    円形プレート
５      圧縮機
６      四方弁
７      膨張弁
８      室外熱交換器
１０    上下風向板
１１    筐体
１１ａ  化粧枠
１１ｂ  フロントパネル
１１ｃ  リアパネル
１２    空気吹出口
１４ａ  表示部
１４ｂ  受光部
１５    フィルタ
１６    ドレンパン
１７    下流側風洞
１８ａ  上側ケーシング
１８ｂ  下側ケーシング
２０    上側風向板（上下風向板）
２１    上側左風向板（一端側風向板）
２２    上側中央風向板（中央風向板）
２３    上側右風向板（他端側風向板）
３０    下側風向板（上下風向板）
３１    下側左風向板（一端側風向板）
３２    下側中央風向板（中央風向板）
３３    下側右風向板（他端側風向板）
４０    アクチュエータ
４３    駆動軸
【図１】
0006640492.tif 000002
【図２】
0006640492.tif 000003
【図３】
0006640492.tif 000004
【図４】
0006640492.tif 000005
【図５】
0006640492.tif 000006
【図６】
0006640492.tif 000007